【事件の表示】
　特願２０００−５５６４４２「正弦波の合成」拒絶査定不服審判事件〔平成１１年１２月２９日国際公開、ＷＯ９９／６７８７７、平成１４年７月２日国内公表、特表２００２−５１９８８１〕について、次のとおり審決する。
【結　論】
　本件審判の請求は、成り立たない。
【理　由】
１　手続の経緯・本願発明
　本願は、１９９９年６月１７日（パリ条約による優先権主張１９９８年６月２４日、英国）を国際出願日とする出願であって、その特許請求の範囲の請求項１に係る発明は、平成１５年２月１２日付けの手続補正書によって補正された明細書及び図面の記載からみて、上記請求項１に記載されたものと認められるところ、請求項１に係る発明は次のとおりのものである。（以下、「本願発明」という。）
　「【請求項１】クロック信号から多数のパルス幅変調信号を発生する手段と；発生されたパルス幅変調信号を組み合わせて正弦波への近似波を生成する手段と；を含み、アナログ入力制御電気信号中の変化の結果としてその出力クロック信号周波数に変化を生成するように構成され、連続する周波数範囲に渡ってクロック信号を生成する発振器によって前記クロック信号が提供される、正弦波への近似波を合成する装置。」
　
２　引用刊行物記載の発明
　これに対して、原査定の拒絶の理由に引用された、本願の出願の日前である１９６５年１１月２日に頒布された「米国特許第３２１５８６０号明細書」（以下、「引用例」という。）には、図面とともに、次の事項が記載されている。
　(1)　「This invention relates in general to devices for generating sinusoidally varying electrical signals and more particularly pertains to apparatus for generating an electrical signal whose periodic variations adhere precisely to the functions of a sine wave and in which the amplitude of the periodic variations is determined by a reference D.C. voltage.」(第１頁第１欄第１０〜１６行）
　(2)　「The primary object of the invention is to provide apparatus for generating precise electrical sine waves whose fundamental frequency can be selected over a broad frequency range and in which harmonics generated with the fundamental are removed by one of a small number of filters which need not be tunable.」(第１頁第１欄第５２〜５７行）
　(3)　「A systematic arrangement of the invention is shown by the block diagram od FIG.3. The basic frequency determining component of the invention is a pulse generator which acts as the clock in the invention. Generator 2 is a mechanism of a type which periodically emits an electrical pulse, the pulse being analogous to the tick of a mechanical clock. The rate at which pulses are emitted by the generator is known as the pulse repetition frequency and the generator is constructed to permit that repetition frequency to be varied over a wide range.」(第３頁第６欄第６５〜７５行）
　(4)　「The pulses emitted by the block are impressed upon a pattern generator 4 which in response to the block pulses puts out a sequence of switching signals. Pattern generator 4 can be constructed from a plurality of bistable circuits, arranged to provide signals in a desired sequence. The switching signals emitted by the pattern generator are impressed upon current switch set 6 to cause the switch set to provide an electrical current having a stepped waveform of the type depicted in FIG.2. That waveform, as previously explained, has sinusoidal components which are the fundamental and only very high order harmonics. The stepped current waveform is fed to the summing junction of an operational amplifier8.」(第４頁第７欄第１〜１４行）
　(5)　「For expository purposess, it is assumed that each of the signals put out by pattern generator 4 is at one of two D.C. levels, the levels being +3 volts and -3 volts. It is to be understood that the pattern generator puts out five parallel signals which are supplied to input terminals 16a to 16e respectively. The pattern generator is arranged to cause those five signals to shift their D.C. levels in the sequence set out in the truth table of FIG.5. In accordance with conventional binary notation, the binary 1 represents the +3 volt levels and the binary 0 represents the -3 volt level. In the truth table, the increments 1 through 20 correspond to the identicallynumbered time increments in FIG.2, a time increment in the waveform of FIG.2 being the width of each pulse, excepting increments 1,10,11,and 20, which are half the normal pulse width.」(第４頁第８欄第４〜１９行）
　
　この記載事項によると、引用例には、「クロック信号から多数のパルス幅変調信号を発生するパタ−ン発生器４と、発生されたパルス幅変調信号を組み合わせて正弦波への近似波を生成する電流スイツチセツト６とを含み、クロツクパルス発生器２によって前記クロック信号が提供される、正弦波への近似波を合成する装置。」の発明（以下、「引用発明」という。）が記載されていると認められる。
　
３　対比
　本願発明と引用発明を対比すると、引用発明における「クロック信号から多数のパルス幅変調信号を発生するパタ−ン発生器」「パルス幅変調信号を組み合わせて正弦波への近似波を生成する電流スイツチセツト」は、それぞれ本願発明における「クロック信号から多数のパルス幅変調信号を発生する手段」「パルス幅変調信号を組み合わせて正弦波への近似波を生成する手段」に相当するものと認める。
　また、引用発明における「クロツクパルス発生器２」は、本願発明における「クロック信号を生成する発振器」に対応するものと認める。
　したがって、両者は、以下のとおりの一致点及び相違点を有するものと認められる。
　（一致点）
「クロック信号から多数のパルス幅変調信号を発生する手段と；発生されたパルス幅変調信号を組み合わせて正弦波への近似波を生成する手段と；を含み、クロック信号を生成する発振器によって、前記クロック信号が提供される、正弦波への近似波を合成する装置。」
　（相違点）
　(1)　本願発明では、上記「クロック信号を生成する発振器」が「アナログ入力制御電気信号中の変化の結果としてその出力クロック信号周波数に変化を生成するように構成され、連続する周波数範囲に渡ってクロック信号を生成する」のに対して、引用発明では、そのような点については明示がない点。
　
４　当審の判断
　上記相違点について検討する。
　相違点(1)
　上記引用例には、引用発明を実施することにより、合成される正弦波への近似波について、周波数を容易に変化できるとともに、変化範囲を広くとることが可能となることが記載されており(第３頁第６欄第６５〜７５行）、また、連続する周波数範囲に渡ってクロック信号を提供するため、アナログ入力制御電気信号中の変化の結果としてその出力クロック信号周波数に変化を生成するように構成され、連続する周波数範囲に渡ってクロック信号を生成する発振器を用いることは常套手段であることから（この点、特公昭６１−５７７３２号公報等を参照）、引用発明において、アナログ入力制御電気信号中の変化の結果としてその出力クロック信号周波数に変化を生成するように構成され、連続する周波数範囲に渡ってクロック信号を生成する発振器を用いて合成される正弦波への近似波について、周波数を変化させるようにすることは当業者が適宜なし得ることと認める。
　また、本願発明の効果についてみても、上記構成の採用に伴って当然に予測される程度のものにすぎず、格別顕著なものがあるとは認められない。
　
５　むすび
　したがって、本願発明は、引用例に記載された発明に基づいて当業者が容易に発明をすることができたものであるから、特許法第２９条第２項の規定により特許を受けることができない。
　よって、結論のとおり審決する。